(57)【要約】【課題】廃棄物海面処分場等の構築に際し、干満差の影響を緩和して目地部の遮水処理を容易かつ確実に実施できる仕切護岸の構築方法を提供する。【解決手段】この仕切護岸の構築方法は、水域を所定の範囲で包囲するようにして仕切護岸２を構築する方法であって、開口部４と開口部よりも通水断面積が小さい通水部５とを残して仕切護岸を堤防状に構築し、開口部を締め切るための構造物を開口部に据え付け、構造物の据え付けにより形成される目地部について遮水処理を行い、次に、通水部を締め切る。【選択図】図１
2018071128.tif 000002
【特許請求の範囲】
【請求項１】
水域を所定の範囲で包囲するようにして仕切護岸を構築する方法であって、
開口部と前記開口部よりも通水断面積が小さい通水部とを残して仕切護岸を堤防状に構築し、
前記開口部を締め切るための構造物を前記開口部に据え付け、
前記構造物の据え付けにより形成される目地部について遮水処理を行い、
前記通水部を締め切る仕切護岸の構築方法。
【請求項２】
前記遮水処理を行う前に前記目地部における水流の流速を緩和するための流速緩和ゲートを設置する請求項１に記載の仕切護岸の構築方法。
【請求項３】
前記流速緩和ゲートは、前記目地部の水流入口を暫定的に閉塞するように設置される請求項２に記載の仕切護岸の構築方法。
【請求項４】
前記通水部を仕切ゲートにより締め切り、次に、前記通水部の締め切りのためのブロックを前記通水部に設置し、遮水処理を行う請求項１乃至３のいずれか１項に記載の仕切護岸の構築方法。
【発明の詳細な説明】
【技術分野】
【０００１】
本発明は、廃棄物海面処分場などのための仕切護岸を構築する方法に関する。
【背景技術】
【０００２】
仕切護岸は、一般的に、自然石等による傾斜堤や鋼製矢板やケーソン等を用い、これらを延長して枠状にし、最終的に残った開口部を結合し護岸全体を一体化して締め切る工法により造成される。最終締め切りの開口部は、鋼製矢板やケーソン等のコンクリート構造物を用いて締め切ることができる（たとえば、特許文献１参照）。一方、廃棄物処分場の確保のために管理型海面処分場の建設が進められている。この場合、管理型廃棄物海面処分場は、堤内から堤外への保有水の漏出を防ぐために高い遮水性が要求され、一般に遮水構造が付加された管理型廃棄物埋立護岸が採用されている。
【０００３】
特許文献２は、廃棄物を埋め立て処分する区画を、海域を区切って設けるに際して、遮水壁で区切った区画の一部に、作業船が容易に通過できるような開口部を設けておき、壁を構築する最後の段階でケーソンを用いて、簡単に閉じることができるようにする仕切護岸の構築方法を提案する（要約）。この構築方法は、堤防状の構造物を立設して囲むことにより、廃棄物処分場を構築するに際して、ケーソンのような構造物を用いた護岸本体の一部に、背の低いケーソンのみを海底地盤から立設し、その上部を開けた開口部を設けておき、区域内部での作業船による工事が終わって、その船を出してから、背の低いケーソンを開口に設置して、両側のケーソンとの間で遮水処理を施し、一体化した遮水壁を完成する。
【先行技術文献】
【特許文献】
【０００４】
【特許文献１】特開2012-92512号公報
【特許文献２】特開2008-307433号公報
【発明の概要】
【発明が解決しようとする課題】
【０００５】
特許文献２の仕切護岸の構築方法では、最終締め切りのために、背の低いケーソンのみを海底地盤から立設し、その上部に作業船が容易に通過できるような開口部を設けておき、この開口部に背の低いケーソンを設置して、両側のケーソンとの間で遮水処理を施し、一体化した遮水壁を完成するが、開口部にケーソンを設置したとき、潮汐の干満差に起因する水流が発生し、ケーソンの目地部における遮水処理の施工が困難となってしまう問題があった。特に、たとえば、瀬戸内海のように干満差の大きい水域では、水流の速度が大きくなり、干満差の影響が大きくなって、場合によっては、かかる遮水処理の施工が不可能になってしまう。
【０００６】
本発明は、上述のような従来技術の問題に鑑み、廃棄物海面処分場等の構築に際し、干満差の影響を緩和して目地部の遮水処理を容易かつ確実に実施できる仕切護岸の構築方法を提供することを目的とする。
【課題を解決するための手段】
【０００７】
上記目的を達成するための仕切護岸の構築方法は、水域を所定の範囲で包囲するようにして仕切護岸を構築する方法であって、開口部と前記開口部よりも通水断面積が小さい通水部とを残して仕切護岸を堤防状に構築し、前記開口部を締め切るための構造物を前記開口部に据え付け、前記構造物の据え付けにより形成される目地部について遮水処理を行い、次に、前記通水部を締め切る。
【０００８】
この仕切護岸の構築方法によれば、開口部を締め切っても、通水部を締め切る前は、通水部の存在により、開口部に構造物を据え付けることで形成される目地部（隙間）における水流の流速を低減させることができる。このため、干満差の影響を緩和して目地部の遮水処理を容易かつ確実に実施することができる。
【０００９】
上記仕切護岸の構築方法において、前記遮水処理を行う前に前記目地部における水流の流速を緩和するための流速緩和ゲートを設置することが好ましい。流速緩和ゲートを設置することで、目地部で水流が発生してもその流速を抑えることができ、遮水処理を、品質を損なうことなく確実に行うことができ、目地部における水流が大きい場合等に対応することができる。かかる流速緩和ゲートは、前記目地部の水流入口を暫定的に閉塞するように設置されることが好ましい。
【００１０】
また、前記通水部を仕切ゲートにより締め切り、次に、前記通水部の締め切りのためのブロックを前記通水部に設置し、遮水処理を行うことが好ましい。通水部を仕切ゲートで予め締め切るので、通水部へのブロックの設置および遮水処理を容易に行うことができる。
【発明の効果】
【００１１】
本発明によれば、廃棄物海面処分場等の構築に際し、干満差の影響を緩和して目地部の遮水処理を容易かつ確実に実施できる仕切護岸の構築方法を提供することができる。
【図面の簡単な説明】
【００１２】
【図１】本実施形態による管理型廃棄物海面処分場を概略的に示す上面図およびそのうちの一部を拡大して概略的に示す斜視図である。
【図２】図１の仕切護岸の構成を示す断面図である。
【図３】図１の最終締切部３を締め切る施工工程（ａ）〜（ｃ）を説明するための概略的な斜視図である。
【図４】図３（ｃ）に続いて図１の最終締切部３を締め切る施工工程（ａ）〜（ｃ）を説明するための概略的な斜視図である。
【図５】本実施形態における上下分割ケーソンの下部ケーソンと上部ケーソンとを示す斜視図である。
【図６】図３（ｃ）の流速緩和ゲートを示す正面図（ａ）、ｂ部の拡大図（ｂ）およびc-c線方向の部分断面図（ｃ）である。
【図７】図４（ｂ）（ｃ）の仕切ゲートが設置された通水ケーソンおよび締め切りブロックを概略的に示す斜視図である。
【図８】図７の通水ケーソンの仕切ゲートを陸側から見た概略的な正面図（ａ）および締め切り完了前の仕切ゲートを上部から見た概略的な上面図である。
【図９】図７の通水部に据え付けられた締め切りブロックおよび締め切り完了後の図８の仕切ゲートを概略的に示す要部上面図である。
【図１０】図７の締め切りブロックが据え付けられて遮水処理がされた通水ケーソン上部の図９のA-A線方向の断面図（ａ）およびB-B線方向の断面図（ｂ）である。
【発明を実施するための形態】
【００１３】
以下、本発明を実施するための形態について図面を用いて説明する。図１は本実施形態による管理型廃棄物海面処分場を概略的に示す上面図およびそのうちの一部を拡大して概略的に示す斜視図である。
【００１４】
図１のように、本実施形態による管理型廃棄物海面処分場１は、水域を所定の範囲で包囲するようにして仕切護岸２を構築することで構成され、内部に廃棄物等を処分することができるようにしたものである。仕切護岸２は、ケーソン等のコンクリート構造物等により堤防状に構築され、その施工過程において、最終締切部３で最終的に締め切られ、仕切護岸２により処分場（護岸）の内（陸側）と外（海側）とが完全に分離される。
【００１５】
図１の拡大斜視図のように、最終締切部３は、複数の下部ケーソン１１と、下部ケーソン１１に隣接し上部に通水部５を有する通水ケーソン１２と、から構成され、通常の構成のケーソン１３、１３の間に位置する。下部ケーソン１１は、上下分割ケーソンの下部に位置し、その上部が開口部４を構成する。
【００１６】
管理型廃棄物海面処分場１の施工過程において、処分場（護岸）の内側においても作業船により施工作業が行われ、効率的な施工に資することになるが、最終締切部３を残して仕切護岸２を閉合した後も、作業船が開口部４を通して出入りするため、開口部４は、かかる作業船の通過可能なサイズ（幅・高さ）になっている。また、通水ケーソン１２の上部に設けられる通水部５は、水流の通過を目的としたもので、開口部４よりも通水断面積・サイズ（幅・高さ）が小さくなっており、作業船の通過が不可能である。潮汐の干満差による水流が開口部４および通水部５を通して流れる。なお、通水ケーソン１２は、図１では、単数であるが、複数であってもよい。
【００１７】
本実施形態では、図１の最終締切部３における開口部４は、上下分割ケーソンの下部ケーソン１１を水底に据え付けることで形成され、その後、開口部４に上部ケーソンを据え付け、次に、ケーソン間の目地部（隙間）の遮水処理を行うが、このとき、最終締切部３における通水部５は開放されており、通水部５を水流が通過するので、目地部における水流の流速が低減する。このため、干満差の影響を緩和して目地部の遮水処理を容易かつ確実に実施することができる。
【００１８】
なお、本明細書において、目地部とは、ケーソン間等に形成される隙間・間げきを意味し、目地部材とは、目地部を仕切るために配置される部材を意味し、目地部材により仕切られた目地部（隙間）に遮水材料が充填されることで遮水処理が行われ遮水部が形成される。
【００１９】
次に、図１の仕切護岸の構成例について図２を参照して説明する。図２は、図１の仕切護岸の構成を示す断面図である。この仕切護岸２の遮水構造は、陸側（処分場内側）において粘性土層を深層混合改良し、遮水シートにより２層構造として遮水する構成である。
【００２０】
処分場１の設置位置の水底は、たとえば、透水係数がk＝1.0×10-7m/sec以下である粘性土層Ｇ１を有し、十分な遮水性能を有する。護岸下面は、たとえば、改良率50％の深層混合により改良された深層混合処理層Ｇ２である。深層混合処理層Ｇ２の上に基礎捨石Ｍ、ケーソン１３が設置される。ケーソン１３は、縦方向目地部をアスファルトマスチック等の歴青材料により充填することで遮水構造となっている。
【００２１】
１層目の遮水構造として、ケーソン１３の基礎部１３ａに遮水シート２１を設置する。遮水シート２１の端部は、アスファルトマスチック等の変形追随する性質を有する歴青材料を打設し充填部２３に充填することで定着される。この１層目の遮水構造により、水中コンクリートＣＷ、基礎部１３ａと遮水シート２１との間が確実に埋められて優れた遮水性能を発揮する。
【００２２】
上述のようにして遮水シート２１による１層目の遮水構造が構築されてから、ケーソン１３の背面（陸側）に裏込石２５が投入される。次に、裏込石２５の法面に遮水シート２６が敷設され、その水底部側の端部が、アスファルトマスチックを流し込んで充填部２８を形成することで定着される。このようにして、２層目の遮水構造が構築される。次に、押え捨石２９が投入され、水底にカウンター盛土３０が構築される。なお、遮水シート２１，２６は、両面が保護マット２１ａ，２６ａおよび固化処理土２２により保護されている。
【００２３】
次に、図１の仕切護岸２の最終締切部３を締め切るための施工工程について図３，図４を参照して説明する。図３は、図１の最終締切部３を締め切る施工工程（ａ）〜（ｃ）を説明するための概略的な斜視図である。図４は、図３（ｃ）に続いて図１の最終締切部３を締め切る施工工程（ａ）〜（ｃ）を説明するための概略的な斜視図である。なお、図３，図４では、説明の便宜上、陸側および海側から見た斜視図を示す場合がある。
【００２４】
図３（ａ）に示すように、複数のケーソン１３を並べて設置し、通水部５を有する通水ケーソン１２および開口部４を形成する複数の下部ケーソン１１を設置し、さらに複数のケーソン１３を並べて設置する。開口部４と通水部５とにより構成される最終締切部３についての締め切り施工が次のようにして実施される。
【００２５】
図３（ａ）のように、通水ケーソン１２，下部ケーソン１１，ケーソン１３の各側面に形成される陸側の縦目地部（隙間）に目地部材１５を設置する。また、海側では縦目地部から基礎部１１ｄの目地部まで目地部材１６を設置する。目地部材１５，１６には、板状目地部材または袋目地部材を用いる。
【００２６】
次に、図３（ｂ）のように、複数の下部ケーソン１１に対応して複数の上部ケーソン１４ａ〜１４ｄを据え付ける。これにより、開口部４は、目地部を残して閉合される。なお、かかる据え付けは、潮止まりのタイミングで行うことが好ましい。
【００２７】
次に、図３（ｃ）のように、ケーソン１３，上部ケーソン１４ａ〜１４ｄ，通水ケーソン１２間の海側の各縦目地部に流速緩和ゲート１７をそれぞれ設置し、各縦目地部を仮に締め切る。流速緩和ゲート１７を設置することで、目地部における水流が大きい場合等に対応することができる。すなわち、目地部で水流が発生してもその流速を抑えることができ、続いて行われる遮水処理を、品質を損なうことなく確実に行うことができる。流速緩和ゲート１７は、たとえば、型鋼等から構成できる。
【００２８】
次に、図４（ａ）のように、陸側の各縦目地部に目地部材１８を設置する。次に、海側の各縦目地部の流速緩和ゲート１７を撤去し、目地部材１９を設置する。目地部材１８，１９には、板状目地部材または袋目地部材を用いる。
【００２９】
次に、各縦目地部にアスファルトマスチック等の遮水材料を打設することで、ケーソン１３，上部ケーソン１４ａ〜１４ｄ，下部ケーソン１１，通水ケーソン１２間の目地部が遮水材料により充填される。このとき、上部ケーソン１４ａ〜１４ｄと下部ケーソン１１との間の横目地部にアスファルトマスチック等の遮水材料も打設されて、横目地部が充填される。
【００３０】
上述のようにして、図３，図４の通水ケーソン１２，下部ケーソン１１，上部ケーソン１４ａ〜１４ｄ，ケーソン１３の各側面に形成される目地部および横目地部について遮水処理を施すことができる。
【００３１】
次に、図４（ｂ）のように、通水ケーソン１２の通水部５の陸側の縦開口に仕切ゲート２０を設置し、通水部５を締め切る。このときの締め切りのタイミングは、指定水位になったときを目標にする。
【００３２】
次に、図４（ｃ）のように、通水ケーソン１２の通水部５に締め切りブロック３１を据え付ける。続いて、通水部５とブロック３１との間の縦目地部，横目地部にアスファルトマスチック等の遮水材料を充填することで、遮水処理を行う。
【００３３】
以上のようにして、仕切護岸２の開口部４と通水部５とによる最終締切部３についての締め切り施工を行うことができる。
【００３４】
次に、図３，図４の上下分割ケーソンの下部ケーソンと上部ケーソンとについて図５を参照して説明する。図５は、本実施形態における上下分割ケーソンの下部ケーソンと上部ケーソンとを示す斜視図である。
【００３５】
図５のように、上下分割ケーソンの下部ケーソン１１が水底面に設置され、図１の開口部４が形成された状態で、下部ケーソン１１の側面１１ａと隣接するケーソン１３（図３）の側面（図示省略）との間の陸側の目地部に目地部材１５（図３（ａ））を構成するための鉄板１５ａが配置され、また、海側の目地部に、図３（ａ）の目地部材１６を構成するための鉄板１６ａが配置される。
【００３６】
下部ケーソン１１の上面に破線で示す上部ケーソン１４ａが据え付けられる（図３（ｂ）参照）。この据え付け後、上部ケーソン１４ａの側面１４ｅと隣接するケーソン１３（図３）の側面（図示省略）との間の陸側の目地部に図４（ａ）の目地部材１８を構成するための鉄板１８ａが配置され、また、海側の目地部に、図４（ａ）の目地部材１９を構成する鉄板１９ａが配置される。
【００３７】
なお、図５のように、下部ケーソン１１の内部には、中詰砂１１ｂが投入され、また、下部ケーソン１１の上面外周に横目地部１１ｃが形成される。また、陸側では、目地部材の鉄板１５ａが設置されてから、下部ケーソン１１の基礎部１１ｄにおいて、図２のように遮水シート２１による１層目の遮水構造の施工を行うことができる。
【００３８】
次に、上部ケーソン間の縦目地部を仮に締め切るための流速緩和ゲートについて図６を参照して説明する。図６は、図３（ｃ）の流速緩和ゲート１７を示す正面図（ａ）、ｂ部の拡大図（ｂ）およびc-c線方向の部分断面図（ｃ）である。
【００３９】
図６（ａ）〜（ｃ）のように、図３（ｃ）の上部ケーソン１４ａと１４ｂとの間の縦目地部４０の海側には、一対のＬ型鋼１７ａとＨ形鋼１７ｃとから構成される流速緩和ゲート１７が設置される。一対のＬ型鋼１７ａは、上部ケーソン１４ａ，１４ｂの縦目地部４０近傍に縦方向に配置され、複数のアンカーボルト１７ｂにより固定されることで、Ｈ形鋼１７ｃを案内し保持する縦方向レールが構成される。この一対のＬ型鋼１７ａによる縦方向レール内にＨ形鋼１７ｃを上部から差し込むことで、暫定的な流速緩和ゲート１７を構築することができる。なお、下部ケーソン１１，１１間の目地部には、図３（ａ）の目地部材１６として板状目地部材１６ｂが設置され、その板状目地部材１６ｂの上部に、Ｈ形鋼１７ｃを受けて支持する受け部１６ｃが設けられている。
【００４０】
次に、図４（ｂ）（ｃ）の通水ケーソンの通水部を締め切るための仕切ゲートおよびブロックについて図７〜図１０を参照して説明する。図７は、図４（ｂ）（ｃ）の仕切ゲートが設置された通水ケーソンおよび締め切りブロックを概略的に示す斜視図である。図８は、図７の通水ケーソンの仕切ゲートを陸側から見た概略的な正面図（ａ）および締め切り完了前の仕切ゲートを上部から見た概略的な上面図（ｂ）である。図９は、図７の通水部に据え付けられた締め切りブロックおよび締め切り完了後の図８の仕切ゲートを概略的に示す要部上面図である。図１０は、図７の締め切りブロックが据え付けられて遮水処理がされた通水ケーソン上部の図９のA-A線方向の断面図（ａ）およびB-B線方向の断面図（ｂ）である。
【００４１】
図７のように、通水ケーソン１２の通水部５は、陸側の開口面に仕切ゲート２０（図４（ｂ））が設置されることで、締め切られる。続いて、コンクリート製の締め切りブロック３１がクレーン（図示省略）により吊り下げられて通水部５内に据え付けられる。この据え付けのとき、締め切りブロック３１はその側面に設けられたガイドプレート３１ｃによりガイドされ、底面の凸部３１ｂが通水部５の底面の凹部５ｂに嵌め込まれるようになっている。また、図９のように、締め切りブロック３１の前面（陸側）側の側面に設けられた反力壁３１ｄが通水部５の陸側の開口面近傍の凸部１２ａに当接し、凸部１２ａからの反力を受けるようになっている。
【００４２】
また、図７，図９のように、締め切りブロック３１の側面には、２つの溝形部材３１ｆが取り付けられており、通水部５の対応する側面にも２つの溝形部材５ａが取り付けられており、締め切りブロック３１が通水部５内に据え付けられた後に、溝形部材３１ｆ，５ａ間に仕切プレート４１が差し込まれて、通水部５の側面と締め切りブロック３１の側面との間に目地部４８，４９が形成される。
【００４３】
次に、図７の仕切ゲート２０の設置について図８，図９を参照して説明する。図８（ａ）のように、仕切ゲート２０は、鉄板等から全体として平板状に構成され、通水ケーソン１２の通水部５の陸側の開口面を閉塞するようにパッキン２０ｄを介して設置される。すなわち、図８（ｂ）のように、通水ケーソン１２において通水部５の陸側の開口面近傍両側にＬ型部材２０ａが縦方向に取り付けられ、下部には横方向に受け部材（図示省略）が取り付けられた状態で、仕切ゲート２０がＬ型部材２０ａの間に上部から差し込まれる。仕切ゲート２０の裏面側（海側）には凸状のストッパ２０ｃとゴム材料等の弾性部材からなるパッキン２０ｄが取り付けられている。次に、Ｌ型部材２０ａに設けられた複数のボルト２０ｂを締め付けることで、仕切ゲート２０を通水ケーソン１２側に対し図９のようにストッパ２０ｃが通水ケーソン１２側に当たるまで押し付ける。この押し付けによりパッキン２０ｄが圧縮され弾性変形をする。このようにして、仕切ゲート２０は設置され、通水部５の陸側開口面を閉塞し、パッキン２０ｄにより通水部５における水流を遮断することができる。
【００４４】
次に、通水ケーソン１２と締め切りブロック３１との間の遮水処理について図９，図１０を参照して説明する。図１０（ａ）（ｂ）のように、通水ケーソン１２には、砂等の中詰材４２が充填され、その上に割石４３が敷かれ、コンクリート板４４が配置され、締め切りブロック３１側のコンクリート板４５の上部には砂等の中詰材４６が充填され、蓋コンクリート４７で覆われる。通水ケーソン１２の陸側において、割石４３上にはコンクリート板４４，４５と同じ厚みでアスファルトマスチック等の遮水材料が充填されて水平遮水部５０が形成される。水平遮水部５０は、図７のように締め切りブロック３１の底面から突き出た型枠用板３１ｅによる型枠内に遮水材料を打設することで形成できる。
【００４５】
また、図９の通水部５の側面と締め切りブロック３１の側面とにおいて、反力壁３１ｄと溝形部材３１ｆ，５ａに配置された仕切プレート４１との間の縦目地部４８にアスファルトマスチック等の遮水材料が充填されて鉛直遮水部５１が形成される。同様に、図９の仕切プレート４１と海側の仕切プレート４１（図７）との間の縦目地部４９も遮水材料が充填されて同様の鉛直遮水部が形成される。
【００４６】
以上のようにして、通水ケーソン１２の通水部５を仕切ゲート２０により締め切り、次に、締め切りブロック３１を通水部５に設置してから、遮水処理を行い、水平遮水部５０、鉛直遮水部５１等を形成することで、通水ケーソン１２の通水部５を締め切ることができる。
【００４７】
以上のように本発明を実施するための形態について説明したが、本発明はこれらに限定されるものではなく、本発明の技術的思想の範囲内で各種の変形が可能である。たとえば、図２の仕切護岸の構成は、一例であって、他の構成であってもよいことはもちろんである。
【００４８】
また、通水部を有する通水ケーソンは、本実施形態では、単数としたが、本発明はこれに限定されず、複数であってもよく、たとえば、図１の開口部４の両わきに配置したり、片側に複数配置することができる。この場合、通水部における必要通水断面積を考慮して適宜通水ケーソンの個数を決めることができる。
【００４９】
また、通水ケーソン１２の通水部５を締め切る仕切ゲート２０は、そのまま残してよいが、ブロック３１による締め切り完了後、撤去するようにしてもよい。
【００５０】
また、本実施形態では、最終締切部の開口部は上下分割ケーソンの下部ケーソンが設置されることで形成されたが、本発明はこれに限定されず、上下分割ケーソンを用いない構造についても適用できることはもちろんであり、たとえば、開口部がケーソン等の構造物が存在せずに水底から水面まで所定幅に構成されるような最終締切部を有する仕切護岸にも適用可能である。
【産業上の利用可能性】
【００５１】
本発明の仕切護岸の構築方法によれば、干満差の影響を緩和して目地部の遮水処理を容易かつ確実に実施できるので、廃棄物海面処分場等を効率的にかつ確実に構築することができる。
【符号の説明】
【００５２】
１ 管理型廃棄物海面処分場、処分場
２ 仕切護岸
３ 最終締切部
４ 開口部
５ 通水部
７ 仕切ゲート
１１ 下部ケーソン
１２ 通水ケーソン
１３ ケーソン
１４ａ〜１４ｄ 上部ケーソン
１５，１６ 目地部材
１７ 流速緩和ゲート
１８，１９ 目地部材
２０ 仕切ゲート
３１ ブロック
４０ 縦目地部
４１ 仕切プレート
４８，４９ 縦目地部
５０ 水平遮水部
５１ 鉛直遮水部
【図１】
2018071128.tif 000003
【図２】
2018071128.tif 000004
【図３】
2018071128.tif 000005
【図４】
2018071128.tif 000006
【図５】
2018071128.tif 000007
【図６】
2018071128.tif 000008
【図７】
2018071128.tif 000009
【図８】
2018071128.tif 000010
【図９】
2018071128.tif 000011
【図１０】
2018071128.tif 000012
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
水域を所定の範囲で包囲するようにして仕切護岸を構築する方法であって、
開口部と前記開口部よりも通水断面積が小さい通水部とを残して仕切護岸を堤防状に構築する工程と、
次に、前記通水部が開放された状態で、前記開口部を締め切るための構造物を前記開口部に据え付ける工程と、
次に、前記構造物の据え付けにより形成される目地部について遮水処理を行う工程と、
次に、前記通水部を締め切る工程と、を有する仕切護岸の構築方法。
【請求項２】
前記遮水処理を行う前に前記目地部における水流の流速を緩和するための流速緩和ゲートを設置する請求項１に記載の仕切護岸の構築方法。
【請求項３】
前記流速緩和ゲートは、前記目地部の水流入口を暫定的に閉塞するように設置される請求項２に記載の仕切護岸の構築方法。
【請求項４】
前記通水部を仕切ゲートにより締め切り、次に、前記通水部の締め切りのためのブロックを前記通水部に設置し、遮水処理を行う請求項１乃至３のいずれか１項に記載の仕切護岸の構築方法。
【手続補正２】
【補正対象書類名】明細書
【補正対象項目名】０００７
【補正方法】変更
【補正の内容】
【０００７】
上記目的を達成するための仕切護岸の構築方法は、水域を所定の範囲で包囲するようにして仕切護岸を構築する方法であって、開口部と前記開口部よりも通水断面積が小さい通水部とを残して仕切護岸を堤防状に構築する工程と、次に、前記通水部が開放された状態で、前記開口部を締め切るための構造物を前記開口部に据え付ける工程と、次に、前記構造物の据え付けにより形成される目地部について遮水処理を行う工程と、次に、前記通水部を締め切る工程と、を有する。